(57)【要約】【課題】  相関関係の関係性を利用してプラント監視を行う際に、検出感度を高めて確実な監視を可能にするプラント監視システムおよびプラント監視方法を提供する。【解決手段】  センサの各測定値である時系列データから特徴をそれぞれ算出して特徴量とする処理を、参照用のＢ１センサ〜Ｂｍセンサおよび予測対象用のＡ１センサ〜Ａｍセンサに対して行う算出手段４３Ａ、４３Ｂと、算出手段４３Ａが出力するＢ１センサ〜Ｂｍセンサの被予測値ｂ１１〜ｂ１ｒから、あらかじめ組み込まれている相関モデルを基に予測値ｂ２１〜ｂ２ｒを算出して出力する予測手段４３Ｃと、予測手段４３Ｃから出力される予測値ｂ２１〜ｂ２ｒと、算出手段４３Ｂから出力される予測対象値ａ１１〜ａ１ｒとを比較して関係性の崩れを検出する比較手段４３Ｄとを備える。【選択図】  図１
2020201765.tif 000002
【特許請求の範囲】
【請求項１】
各種の機器を備えると共にこれらの機器の状態を測定する各種のセンサを備えるプラントに用いられるプラント監視システムであって、
複数の前記センサから成り、これらのセンサを参照用とする第１センサグループと、
前記第１センサグループとは別の前記センサから成り、これらのセンサを予測対象用とする第２センサグループと、
前記センサの各測定値である時系列データから特徴をそれぞれ算出して特徴量とする処理を、前記第１センサグループおよび前記第２センサグループの各センサに対して行い、前記第１センサグループの時系列データおよび各特徴量を被予測値として出力すると共に前記第２センサグループの時系列データおよび各特徴量を予測対象値として出力する算出手段と、
前記算出手段が出力する前記第１センサグループの被予測値から、あらかじめ組み込まれている相関モデルを基に予測値をそれぞれ算出して出力する予測手段と、
前記予測手段から出力される予測値と、前記算出手段から出力される予測対象値とを比較し、前記各予測値と前記予測対象値との関係性の崩れを検出する比較手段と、
を備え、
前記予測手段の相関モデルは、前記各センサが正常時の前記第１センサグループのセンサの時系列データおよびこの時系列データから算出された各特徴量と、前記第２センサグループのセンサの時系列データおよびこの時系列データから算出された各特徴量との相関関係を基に作成されている、
ことを特徴とするプラント監視システム。
【請求項２】
前記算出手段は、所定期間の各測定値である時系列データを基に前記特徴量を算出する、
ことを特徴とする請求項１に記載のプラント監視システム。
【請求項３】
前記算出手段は、直近の所定期間の各測定値である時系列データを基に前記特徴量を算出する、
ことを特徴とする請求項１または２に記載のプラント監視システム。
【請求項４】
前記算出手段は、各測定値である時系列データの平均値、分散、最大値、最小値、最大値と最小値の差、歪度および尖度の中の少なくとも１つを前記特徴量とする、
ことを特徴とする請求項１〜３のいずれか１項に記載のプラント監視システム。
【請求項５】
各種の機器を備えると共にこれらの機器の状態を測定する各種のセンサを備えるプラントに用いられるプラント監視方法であって、
複数の前記センサから成り、これらのセンサを参照用とする第１センサグループと、前記第１センサグループとは別の前記センサから成り、これらのセンサを予測対象用とする第２センサグループとを形成し、
前記各センサが正常時の前記第１センサグループのセンサの時系列データおよびこの時系列データから算出された各特徴量と、前記第２センサグループのセンサの時系列データおよびこの時系列データから算出された各特徴量との相関関係を基に相関モデルを作成し、
前記センサの各測定値である時系列データから特徴をそれぞれ算出して特徴量とする処理を、前記第１センサグループおよび前記第２センサグループの各センサに対して行い、前記第１センサグループの時系列データおよび各特徴量を被予測値として出力すると共に前記第２センサグループの時系列データおよび各特徴量を予測対象値として算出手段が出力し、
前記算出手段が出力する前記第１センサグループの被予測値から、あらかじめ組み込まれている相関モデルを基に予測値をそれぞれ算出して予測手段が出力し、
前記予測手段から出力される予測値と、前記算出手段から出力される予測対象値とを比較し、前記各予測値と前記予測対象値との関係性の崩れを比較手段が検出する、
ことを特徴とするプラント監視方法。
【発明の詳細な説明】
【技術分野】
【０００１】
この発明は、各種のプラントを監視するプラント監視システムおよびプラント監視方法に関する。
【背景技術】
【０００２】
発電所の発電プラントには、蒸気タービンやボイラー等の各種の機器が使用され、発電プラントはこれらの機器により発電を行っている。こうした発電プラントでは、設置されている機器等について、故障の予兆を監視している。（例えば、特許文献１参照。）。この文献に記載された技術によれば、故障の予兆を監視するために、インバリアント分析技術（Ｓｙｓｔｅｍ  Ｉｎｖａｒｉａｎｔ  Ａｎａｌｙｓｉｓ  Ｔｅｃｈｎｏｌｏｇｙ：ＳＩＡＴ）が使用されている。インバリアント分析技術はネットワーク障害対応エンジンを利用したものである。ネットワーク障害対応エンジンは、観測点間の相関関係における関係性の崩れ（破れ）を検出することで、システム全体を監視するものである。
【０００３】
こうしたネットワーク障害対応エンジンのインバリアント分析技術をプラント監視のために適用する。つまり、プラントの各センサの信号間には、相互に強い相関関係が存在する。観測点から収集されるデータを自動分析し、網羅的に２点間のデータの不変関係である相関関係（インバリアント）を見出してモデル化する。この後、発電プラントの例えば配管に設置されたセンサと、蒸気タービンに設置されたセンサとの相関関係について「いつもと違う」という動き、つまり関係性の崩れを調べる。そして、「いつもと違う」動きから、発電プラントの異常を検知することが可能であり、リアルタイムでプラント全体を監視することが可能である。
【先行技術文献】
【特許文献】
【０００４】
【特許文献１】特開２０１７−２１７０２号公報
【発明の概要】
【発明が解決しようとする課題】
【０００５】
しかし、インバリアント分析技術をプラント監視に適用するには次の課題がある。つまり、発電プラントの２点間のデータの相関関係を見い出してモデル化する際には、各センサからの時系列データそのものの間に成立する関係性のみを求めていた。このため、各センサの時系列データの複雑な変化については検出感度が低かった。
【０００６】
この発明の目的は、前記の課題を解決し、相関関係の関係性を利用してプラント監視を行う際に、検出感度を高めて確実な監視を可能にするプラント監視システムおよびプラント監視方法を提供することにある。
【課題を解決するための手段】
【０００７】
前記の課題を解決するために、請求項１の発明は、各種の機器を備えると共にこれらの機器の状態を測定する各種のセンサを備えるプラントに用いられるプラント監視システムであって、複数の前記センサから成り、これらのセンサを参照用とする第１センサグループと、前記第１センサグループとは別の前記センサから成り、これらのセンサを予測対象用とする第２センサグループと、前記センサの各測定値である時系列データから特徴をそれぞれ算出して特徴量とする処理を、前記第１センサグループおよび前記第２センサグループの各センサに対して行い、前記第１センサグループの時系列データおよび各特徴量を被予測値として出力すると共に前記第２センサグループの時系列データおよび各特徴量を予測対象値として出力する算出手段と、前記算出手段が出力する前記第１センサグループの被予測値から、あらかじめ組み込まれている相関モデルを基に予測値をそれぞれ算出して出力する予測手段と、前記予測手段から出力される予測値と、前記算出手段から出力される予測対象値とを比較し、前記各予測値と前記予測対象値との関係性の崩れを検出する比較手段と、を備え、前記予測手段の相関モデルは、前記各センサが正常時の前記第１センサグループのセンサの時系列データおよびこの時系列データから算出された各特徴量と、前記第２センサグループのセンサの時系列データおよびこの時系列データから算出された各特徴量との相関関係を基に作成されている、ことを特徴とするプラント監視システムである。
【０００８】
請求項１の発明では、複数のセンサから成り、これらのセンサを参照用とする第１センサグループと、第１センサグループとは別のセンサから成り、これらのセンサを予測対象用とする第２センサグループとを形成し、各センサが正常時の第１センサグループのセンサの各測定値である時系列データおよびこの時系列データから算出された各特徴量と、第２センサグループのセンサの時系列データおよびこの時系列データから算出された各特徴量との相関関係を基に相関モデルを作成する。センサの時系列データから特徴をそれぞれ算出して特徴量とする処理を、第１センサグループおよび第２センサグループの各センサに対して行い、第１センサグループの時系列データおよび各特徴量を被予測値として出力すると共に第２センサグループの時系列データおよび各特徴量を予測対象値として算出手段が出力する。算出手段が出力する第１センサグループの被予測値から、あらかじめ組み込まれている相関モデルを基に予測値をそれぞれ算出して予測手段が出力する。予測手段から出力される予測値と、算出手段から出力される予測対象値とを比較し、各予測値と予測対象値との関係性の崩れを比較手段が検出する。
【０００９】
請求項２の発明は、請求項１に記載のプラント監視システムにおいて、前記算出手段は、所定期間の各測定値である時系列データを基に前記特徴量を算出する、ことを特徴とする。
【００１０】
請求項３の発明は、請求項１または２に記載のプラント監視システムにおいて、前記算出手段は、直近の所定期間の各測定値である時系列データを基に前記特徴量を算出する、ことを特徴とする。
【００１１】
請求項４の発明は、請求項１〜３のいずれか１項に記載のプラント監視システムにおいて、前記算出手段は、各測定値である時系列データの平均値、分散、最大値、最小値、最大値と最小値の差、歪度および尖度の中の少なくとも１つを前記特徴量とする、ことを特徴とする。
【００１２】
請求項５の発明は、各種の機器を備えると共にこれらの機器の状態を測定する各種のセンサを備えるプラントに用いられるプラント監視方法であって、複数の前記センサから成り、これらのセンサを参照用とする第１センサグループと、前記第１センサグループとは別の前記センサから成り、これらのセンサを予測対象用とする第２センサグループとを形成し、前記各センサが正常時の前記第１センサグループのセンサの時系列データおよびこの時系列データから算出された各特徴量と、前記第２センサグループのセンサの時系列データおよびこの時系列データから算出された各特徴量との相関関係を基に相関モデルを作成し、前記センサの各測定値である時系列データから特徴をそれぞれ算出して特徴量とする処理を、前記第１センサグループおよび前記第２センサグループの各センサに対して行い、前記第１センサグループの時系列データおよび各特徴量を被予測値として出力すると共に前記第２センサグループの時系列データおよび各特徴量を予測対象値として算出手段が出力し、前記算出手段が出力する前記第１センサグループの被予測値から、あらかじめ組み込まれている相関モデルを基に予測値をそれぞれ算出して予測手段が出力し、前記予測手段から出力される予測値と、前記算出手段から出力される予測対象値とを比較し、前記各予測値と前記予測対象値との関係性の崩れを比較手段が検出する、ことを特徴とするプラント監視方法である。
【発明の効果】
【００１３】
請求項１の発明によれば、センサの各測定値である時系列データの値そのものの間に成立する関係性のみを監視するのではなく、時系列データから各種特徴量を抽出し、その特徴量間に成立する関係性も含めてプラントの機器を監視する。これによって、同じセンサ数であっても、評価する相関関係（インバリアント）の数は大幅に増加し、また、検出される信号の変化パターンも多くなるので、異常検出性能を大きく向上させることができる。
【００１４】
請求項２の発明によれば、所定期間の時系列データを基に特徴量を算出するので、所定期間でのセンサ間の関係性の崩れを確実に検出することを可能にする。
【００１５】
請求項３の発明によれば、直近の所定期間の各測定値である時系列データを基に特徴量を算出するので、センサ間の関係性の崩れを早期に検出することを可能にする。
【００１６】
請求項４の発明によれば、平均値、分散、最大値、最小値、最大値と最小値の差、歪度を特徴量とするので、特徴量の計算過程が明確であり、特徴量の算出が容易である。
【００１７】
請求項５の発明によれば、請求項１の発明と同様に、同じセンサ数であっても、評価する相関関係数は大幅に増加し、また、検出される信号の変化パターンも多くなるので、異常検出性能を大きく向上させることができる。
【図面の簡単な説明】
【００１８】
【図１】この発明の一実施の形態によるプラント監視システムを示す構成図である。
【図２】センサデータの一例を示す図である。
【図３】センサデータの一例を示す図である。
【図４】相関関係の抽出を説明する説明図である。
【図５】データの相関関係の抽出を説明する説明図である。
【図６】特徴量の算出を説明する説明図である。
【図７】特徴量の算出を説明する説明図である。
【図８】相関関係の抽出を説明する説明図である。
【図９】管理サーバが備える基本構成を示す構成図である。
【図１０】予測対象センサにおける従来の関係性の破れを説明する説明図であり、図１０（ａ）は正常な測定値を示す図、図１０（ｂ）は異常な測定値を示す図、図１０（ｃ）は測定値の監視結果を示す図である。
【図１１】予測対象センサにおける関係性の破れを説明する説明図であり、図１１（ａ）は異常な測定値を示す図、図１１（ｂ）は２時間移動平均値を示す図、図１１（ｃ）は２時間移動分散を示す図である。
【図１２】予測対象センサにおける関係性の破れを説明する説明図であり、図１２（ａ）は２時間移動分散を示す図、図１２（ｂ）は２時間移動分散の監視結果を示す図、図１２（ｃ）は２時間移動平均値を示す図、図１２（ｄ）は２時間移動平均値の監視結果を示す図である。
【発明を実施するための形態】
【００１９】
次に、この発明の実施の形態について、図面を用いて詳しく説明する。この実施の形態によるプラント監視システムを図１に示す。図１のプラント監視システムは、発電プラント１０が設置されている発電所で用いられるものであり、センサ監視装置２０と、モデル監視装置４０とを主に備えている。センサ監視装置２０はモデル監視装置４０とデータ通信ができるように、イントラネットのような社内通信網３０を経てモデル監視装置４０に接続されている。
【００２０】
発電プラント１０は原子力や火力で発電を行い、この実施の形態では原子力で発電を行う場合を例としている。発電プラント１０には、図示を省略しているが、原子炉、タービン、発電機、ポンプ、配管などの多数の機器が使用されている。発電プラント１０は、これらの機器により発電を行う。発電プラント１０には、各機器の状態を調べるために、同じく図示を省略しているが、各種のセンサ、例えばＡ１センサ〜Ａｍセンサ、・・・、Ｂ１センサ〜Ｂｎセンサが設置されている。各センサは測定値ａ１〜ａｍ、・・・、ｂ１〜ｂｎをセンサ監視装置２０に送る。
【００２１】
センサ監視装置２０は、発電プラント１０に設置されている各センサからの測定値ａ１〜ａｍ、・・・、ｂ１〜ｂｎを受け取る。センサ監視装置２０は、各センサから測定値ａ１〜ａｍ、・・・、ｂ１〜ｂｎを受け取ると、図２に示すようなセンサデータを作成する。センサデータには、センサを表すと共にセンサを識別するためのセンサ識別情報に対応して、センサが設置されている設置点が記録されている。また、センサデータには、センサ識別情報に対応して、センサの測定値や測定日時等が記録されている。図２では、測定値ａ１〜ａｍが発電プラント１０の復水器に設置されているＡ１センサ〜Ａｍセンサのものであり、測定値ｂ１〜ｂｎが発電プラント１０の給水ポンプ系統に設置されているＢ１センサ〜Ｂｎセンサのものである場合を例としている。以下では、この例を基に構成を説明する。
【００２２】
センサ監視装置２０は、作成したセンサデータを、送信時間が経過する毎に、社内通信網３０を経てモデル監視装置４０に送信する。送信時間は、秒単位、分単位、時間単位、日単位などのように、必要に応じてセンサ監視装置２０に設定される。
【００２３】
モデル監視装置４０は、社内通信網３０を経てセンサ監視装置２０からセンサデータを受信する。モデル監視装置４０は、受信したセンサデータを用いて、発電プラント１０を監視する。このために、モデル監視装置４０は、通信制御部４１と、データサーバ４２と、管理サーバ４３と、クライアント４４１〜４４ｐとを備えている。そして、モデル監視装置４０の通信制御部４１、データサーバ４２、管理サーバ４３、クライアント４４１〜４４ｐは、データの送受信が可能なようにＬＡＮ（Ｌｏｃａｌ  Ａｒｅａ  Ｎｅｔｗｏｒｋ）等で接続されている。
【００２４】
通信制御部４１は、データサーバ４２、管理サーバ４３、クライアント４４１〜４４ｐを社内通信網３０に接続するための通信制御を行う。例えば、通信制御部４１は、社内通信網３０を経てセンサ監視装置２０からセンサデータを受信すると、このセンサデータをデータサーバ４２に送る。
【００２５】
データサーバ４２は、発電プラント１０に関係するデータを記憶する記憶装置である。例えば、データサーバ４２は、社内通信網３０と通信制御部４１とを経て、センサ監視装置２０からセンサデータを受け取ると、このセンサデータを記憶していく。また、データサーバ４２は、管理サーバ４３からのデータ送信要求を受け取ると、該当するセンサデータを抽出して、管理サーバ４３に送る。
【００２６】
クライアント４４１〜４４ｐは、発電プラント１０を運用する担当者によって操作されるコンピュータであり、発電プラント１０を運用するためのものである。クライアント４４１〜４４ｐには、発電プラント１０の運用のために必要とする各種の指示等が担当者により入力される。例えば、発電プラント１０の各監視対象モデルを作成するために、クライアント４４１〜４４ｐにはモデル作成指示が入力される。クライアント４４１〜４４ｐは、モデル作成指示が入力されると、このモデル作成指示を管理サーバ４３に送る。
【００２７】
また、クライアント４４１〜４４ｐは、管理サーバ４３から各種のデータ、例えば後述の警報データを受け取ると、警報を出力する。また、クライアント４４１〜４４ｐは、管理サーバ４３からセンサ一覧データを受け取ると、このデータの表示等を行う。
【００２８】
管理サーバ４３は、発電プラント１０や各機器の監視のために、各種の処理を行うコンピュータである。先ず、管理サーバ４３は発電プラント１０の相関モデルを作成する。次に、管理サーバ４３は作成した相関モデルを基に発電プラント１０や機器を監視する。以下では、発電プラント１０の相関モデル作成と、相関モデルによる発電プラント１０や機器の監視とについて順に説明する。
【００２９】
管理サーバ４３は、発電プラント１０を監視するための正常運転時の相関モデルを作成する。相関モデルとは、発電プラント１０に取り付けられた各センサの時系列データを基に、インバリアント解析技術により各センサ間の相関関係を導き出したものである。正常運転時の相関モデルは、発電プラント１０が正常に稼働していたときのセンサ情報を基に、管理サーバ４３が作成したものである。
【００３０】
このために、管理サーバ４３は、あらかじめ設定されているタイミングで、データサーバ４２に対してデータ送信要求を送る。または、管理サーバ４３は、クライアント４４〜４５からの担当者の手動入力によるモデル作成指示を受け取ったときに、データサーバ４２に対してデータ送信要求を送る。
【００３１】
この後、管理サーバ４３はデータサーバ４２から各センサデータを受け取る。管理サーバ４３が受け取る各センサデータは、発電プラント１０の正常運転時のデータであり、例えば図２に示すようなものである。
【００３２】
管理サーバ４３は、受け取った各センサデータを基に、相関モデルを作成する。この場合に、従来であれば、管理サーバ４３は、図３に示すように、Ａ１センサ〜Ｂｎセンサの測定値であり、所定期間であるモデル作成期間の時系列データとしての各測定値をセンサデータから抽出する。そして、管理サーバ４３は、Ａ１センサのモデル作成期間の各測定値である時系列データと、Ａ２センサ〜Ｂｎセンサのモデル作成期間の各測定値である時系列データとを図４に示すように比較し、Ａ１センサの各測定値である時系列データとの相関関係、例えば図５に示すようにＡ１センサの各測定値とＢ１センサの各測定値との相関関係（以下、単にセンサ間の相関関係と記す）を導き出す。管理サーバ４３は、Ａ１センサについて行う算出処理をＡ２センサ〜Ｂｎセンサについても行い、センサ間の相関関係を導き出す。この後、管理サーバ４３は、発電プラント１０における監視対象に応じて、センサ間の相関関係を基に相関モデルを作成する。
【００３３】
これに対して、この実施の形態では、次のようにして相関モデルを作成する。管理サーバ４３は、センサデータを受け取ると、特徴量算出処理を行う。特徴量算出処理では、管理サーバ４３は、例えばＡ１センサの各測定値つまり時系列データについて、この時系列データの第１特徴量を算出する。管理サーバ４３は、Ａ１センサの各測定値の第１特徴量として、例えば図６に示すように、Ａ１センサからの各測定値の一定期間毎の平均値、例えば２時間移動平均値を算出する。一定期間は数分、数時間、数日など任意の期間である。管理サーバ４３は、Ａ１センサの移動平均値を算出すると、モデル作成期間での移動平均値を抽出して第１特徴量とする。
【００３４】
管理サーバ４３が算出する特徴量には、移動平均値の他にも、一定期間毎の分散、最大値、最小値、最大値と最小値との差、歪度、尖度などがある。これらの特徴量の計算過程は明確であり、特徴量の算出が容易である。
【００３５】
この実施の形態では、管理サーバ４３は、Ａ１センサのモデル作成期間での各測定値である時系列データに対して、第１特徴量（平均値）、第２特徴量（歪度）および第３特徴量（尖度）を算出する。管理サーバ４３は、Ａ１センサの第２特徴量（移動歪度）および第３特徴量（尖度）の算出を、Ａ１センサの第１特徴量（平均値）の算出と同様にして行う。同じようにして、図７に示すように、管理サーバ４３は、Ａ２センサ〜Ｂｎセンサについても、モデル作成期間での第１特徴量（平均値）、第２特徴量（歪度）および第３特徴量（尖度）をＡ１センサと同様にしてそれぞれ算出する。
【００３６】
この後、管理サーバ４３は、Ａ１センサ〜Ｂｎセンサのモデル作成期間の各測定値である時系列データと、第１特徴量（平均値）、第２特徴量（歪度）および第３特徴量（尖度）とを基にして相関モデルを作成する。例えば図８に示すように、管理サーバ４３は、Ａ１センサのモデル作成期間の各測定値と、第１特徴量（平均値）、第２特徴量（歪度）および第３特徴量（尖度）と、Ａ２センサ〜Ｂｎセンサのモデル作成期間の各測定値と、第１特徴量（平均値）、第２特徴量（歪度）および第３特徴量（尖度）とを比較する。そして、管理サーバ４３は、各測定値である時系列データや各特徴量におけるＡ１センサとの相関関係を導き出す。
【００３７】
さらに、管理サーバ４３は、Ａ１センサについて行う処理を、Ａ２センサ〜Ｂｎセンサについても行い、各測定値である時系列データや各特徴量における相関関係が成り立つかどうかを調べて、センサ間の相関関係を導き出す。この後、管理サーバ４３は、発電プラント１０における監視対象に応じて、センサ間の相関関係を基に相関モデルを作成する。
【００３８】
管理サーバ４３は、相関モデルを作成すると、次に相関モデルを使用して発電プラント１０の監視を行う。このために、管理サーバ４３は、図９に示すように、算出手段４３Ａ、４３Ｂと予測手段４３Ｃと比較手段４３Ｄとを備えている。以下では、発電プラント１０の監視対象つまり予測対象を復水器とした場合に、予測対象用センサである復水器のＡ１センサ〜Ａｍセンサ（第２センサグループ）の各測定値および各特徴量が給水ポンプ系の参照用センサであるＢ１センサ〜Ｂｍセンサ（第１センサグループ）の各測定値および特徴量と相関関係があるときを例として説明する。なお、予測対象用センサである復水器のＡ１センサ〜Ａｍセンサの各測定値および特徴量と相関関係にある参照用センサの各測定値および特徴量は、給水ポンプ系のＢ１センサ〜Ｂｍセンサに限定されることはない。
【００３９】
算出手段４３Ａは、給水ポンプ系のＢ１センサ〜Ｂｍセンサから直近の時系列データとして測定値ｂ１〜ｂｍを受け取ると、測定値ｂ１〜ｂｍのそれぞれについて第１特徴量〜第３特徴量を算出する。そして算出手段４３Ａは、測定値ｂ１〜ｂｍと各第１特徴量〜第３特徴量とを、給水ポンプ系のＢ１センサ〜Ｂｍセンサの被予測値ｂ１１〜ｂ１ｒとして予測手段４３Ｃに出力する。
【００４０】
同じように、算出手段４３Ｂは、復水器のＡ１センサ〜Ａｍセンサから直近の時系列データとして測定値ａ１〜ａｍを受け取ると、測定値ａ１〜ａｍのそれぞれについて第１特徴量〜第３特徴量を算出する。そして算出手段４３Ｂは、測定値ａ１〜ａｍと各第１特徴量〜第３特徴量とを、復水器のＡ１センサ〜Ａｍセンサの予測対象値ａ１１〜ａ１ｒとして比較手段４３Ｄに出力する。
【００４１】
予測手段４３Ｃには、先に述べた相関モデルがあらかじめ内部に組み込まれている。予測手段４３Ｃは、算出手段４３Ａから給水ポンプ系に係る被予測値ｂ１１〜ｂ１ｒを受け取ると、相関モデルを利用して予測値ｂ２１〜ｂ２ｒを算出する。予測手段４３Ｃは、算出した予測値ｂ２１〜ｂ２ｒを比較手段４３Ｄに出力する。
【００４２】
比較手段４３Ｄは、予測手段４３Ｃが算出した、給水ポンプ系の予測値ｂ２１〜ｂ２ｒを基に、算出手段４３Ｂが出力した、復水器系の予測対象値ａ１１〜ａ１ｒを判定する。比較手段４３Ｄには、復水器に係る予測対象値が正常であるか異常であるかを判定するためのしきい値があらかじめ設定されている。比較手段４３Ｄは、予測手段４３Ｃからの予測値ｂ２１〜ｂ２ｒと、復水器に係る予測対象値ａ１１〜ａ１ｒとの差をそれぞれ算出する。そして、比較手段４３Ｄは、算出した差がしきい値より大きいと、復水器のＡ１センサ〜Ａｍセンサと給水ポンプ系のＢ１センサ〜Ｂｍセンサとの相関関係の関係性が崩れたと判定する。
【００４３】
比較手段４３Ｄがセンサの異常を見つけ出すと、管理サーバ４３は異常の発生したセンサについてのデータをセンサデータから抽出し、例えばクライアント４４１に対して、抽出したデータを、故障の予兆を通知する警報データとして送る。
【００４４】
以上がこの実施の形態によるプラント監視システムの構成である。次に、このプラント監視システムによるプラント監視方法について説明する。
【００４５】
通常、モデル監視装置４０では、データサーバ４２に記録されている各センサデータを基にして得た、モデル作成期間でのＡ１センサ〜Ｂｎセンサからの測定値を使用して、管理サーバ４３が発電プラント１０の正常時の相関モデルを作成する。以下では、発電プラント１０の監視対象を復水器とした場合に、予測対象用センサになる復水器のＡ１センサ〜Ａｍセンサの測定値が参照用センサである給水ポンプ系のＢ１センサ〜Ｂｍセンサの測定値と相関関係があるときを例として説明する。
【００４６】
管理サーバ４３は、センサデータを受け取ると特徴量算出処理を行う。特徴量算出処理では、予測対象用センサである復水器のＡ１センサ〜Ｂｎセンサのモデル作成期間での各測定値に対して、第１特徴量（平均値）、第２特徴量（歪度）および第３特徴量（尖度）をそれぞれ算出する。この後、管理サーバ４３は、Ａ１センサ〜Ｂｎセンサのモデル作成期間の各測定値と、第１特徴量（平均値）、第２特徴量（歪度）および第３特徴量（尖度）とを基にして相関モデルを作成する。
【００４７】
管理サーバ４３は、作成した相関モデルを予測手段４３Ｃに組み込む。こうした状態で、予測手段４３Ｃは、参照用センサである給水ポンプ系のＢ１センサ〜Ｂｍセンサから測定値ｂ１〜ｂｍを受け取ると、相関モデルを利用して予測値ｂ２１〜ｂ２ｒを算出する。
【００４８】
比較手段４３Ｄは、予測手段４３Ｃが算出した予測値ｂ２１〜ｂ２ｒを比較する。このとき、比較手段４３Ｄは、例えば予測値ｂ２１〜ｂ２ｒと、予測対象用センサである復水器のＡ１センサ〜Ａｍセンサの値であり、かつ、算出手段４３Ｂから出力される予測対象値ａ１１〜ａ１ｒとの差をそれぞれ算出する。そして、比較手段４３Ｄは、算出した差がしきい値より大きいと、復水器のＡ１センサ〜Ａｍセンサと給水ポンプ系のＢ１センサ〜Ｂｍセンサとの相関関係の関係性が崩れたと判定する。
【００４９】
比較手段４３Ｄがセンサの関係性の破れを見出すと、管理サーバ４３は関係性の破れたセンサについてのデータをセンサデータから抽出する。この後、比較手段４３Ｄは、抽出したデータを例えばクライアント４４１に向けて、故障の予兆を通知する警報データとして送る。クライアント４４１は警報データを受け取ると、この警報データの表示等を行う。
【００５０】
この実施の形態によれば、モデル作成期間とは異なる予測対象用センサの各測定値つまり時系列データの動きを判定することができる。従来であれば、予測対象用センサの各測定値が正常である場合、管理サーバ４３は、例えば図１０（ａ）に示すような、振幅が大きく変動する予測対象用センサの測定値を受け取る。管理サーバ４３は、モデル作成期間での測定値に応じて相関モデルを作成する。そして、モデル監視装置４０は、作成した相関モデルとの関係性を監視する。
【００５１】
もし、予測対象用センサの各測定値である時系列データが図１０（ｂ）の円で示すように振幅が小さく変動する場合、従来であれば、予測対象用センサの測定値は、モデル作成期間での値変動の範囲内にあるので、管理サーバ４３は、図１０（ｃ）に示すように、予測対象用センサの測定値が正常であると判定することになる。
【００５２】
これに対して、この実施の形態では、例えば図１１（ａ）に示すような、振幅が大きく変動する予測対象用センサの各測定値である時系列データを管理サーバ４３が受け取ると、管理サーバ４３はこの予測値に対して図１１（ｂ）に示すように２時間移動平均値と、図１１（ｃ）に示すように２時間移動分散とを算出する。次に、管理サーバ４３は、図１１（ａ）に示す測定値の関係性を監視すると共に、２時間移動平均値および２時間移動分散に成立する関係性を監視する。２時間移動平均値および２時間移動分散は、丸印で示すように、モデル作成期間の値の変動範囲を逸脱している。
【００５３】
この場合、管理サーバ４３は、先ず、図１２（ａ）に示すような２時間移動分散について、図１２（ｂ）に示すように、予測対象用センサの特徴量である２時間移動分散に関する関係性の崩れを時刻Ｔ１で検出する。この後、管理サーバ４３は、図１２（ｃ）に示すような２時間移動平均値について、図１２（ｄ）に示すように、予測対象用センサの特徴量である２時間移動平均値に関する関係性の崩れを時刻Ｔ２で検出する。つまり、従来では検出することができない測定値の関係性の崩れを、２時間移動平均値と２時間移動分散とを監視することにより、予測対象用センサの関係性の崩れを早期に、かつ、確実に検出することができる。これにより、プラントにおける故障の予兆を確実に、かつ、早期に検出することができる。
【産業上の利用可能性】
【００５４】
この発明は、発電所の発電プラントに限らず、各種のプラントや設備に利用可能である。
【符号の説明】
【００５５】
１０  発電プラント
２０  センサ監視装置
４０  モデル監視装置
４１  通信制御部
４２  データサーバ
４３  管理サーバ
４３Ａ、４３Ｂ  算出手段
４３Ｃ  予測手段
４３Ｄ  比較手段
４４１〜４４ｐ  クライアント
【図１】
2020201765.tif 000003
【図２】
2020201765.tif 000004
【図３】
2020201765.tif 000005
【図４】
2020201765.tif 000006
【図５】
2020201765.tif 000007
【図６】
2020201765.tif 000008
【図７】
2020201765.tif 000009
【図８】
2020201765.tif 000010
【図９】
2020201765.tif 000011
【図１０】
2020201765.tif 000012
【図１１】
2020201765.tif 000013
【図１２】
2020201765.tif 000014